(57)【特許請求の範囲】
【請求項１】
複数種類の図柄を可変表示する可変表示列を複数有する表示手段と、前記表示手段の可変表示を開始させるスタートスイッチと、前記可変表示列それぞれに対応してその可変表示を停止させる複数のストップスイッチとを有し、全ての前記可変表示列が停止したときの図柄組合せに応じて遊技者に価値を付与する遊技機において、
ボーナス役および複数の一般役を含む複数の役のいずれかに当選したか否かを抽選により決定する役抽選手段と、
前記役抽選手段の役抽選結果および前記ストップスイッチの操作態様に基づいて可変表示されている前記可変表示列の停止制御を行う停止制御手段と、
前記役抽選手段により前記ボーナス役に当選したときに、全ての前記可変表示列が停止したときの図柄組合せがボーナス入賞にかかる図柄組合せでなければ、ボーナス入賞にかかる図柄組合せとなるまで当該ボーナス役の当選をボーナス内部当選として持ち越す持ち越し手段とを備え、
前記役抽選手段による役抽選結果は、前記ボーナス役と、前記複数の一般役の中で予め設定された特定一般役とに同時に当選する特定同時当選役の当選を含み、
前記停止制御手段は、前記役抽選手段による役抽選結果が前記特定同時当選役の当選であった場合は、他の役抽選結果では停止することがない特定図柄組合せが停止可能な停止制御を行い、
前記特定同時当選役は、前記持ち越し手段による前記ボーナス内部当選の持ち越し状態において前記役抽選手段による役抽選で当選しないように構成され、
前記特定一般役は、新たな遊技媒体を投入することなく前回の遊技と同じ賭数で再度遊技を行うリプレイ役であり、
前記特定図柄組合せは、前記役抽選手段による役抽選結果が前記特定同時当選役の当選でない場合は停止することがないことを特徴とする遊技機。
【請求項２】
前記役抽選手段の役抽選結果に応じて演出を実行する演出実行手段を備え、
前記リプレイ役は、前記特定一般役にかかる特定リプレイ役と、これと異なる一般リプレイ役とを含み、
前記演出実行手段は、前記特定リプレイ役に当選した場合と、前記一般リプレイ役に当選した場合とで異なる演出を実行することを特徴とする請求項１に記載の遊技機。
【請求項３】
前記リプレイ役は、前記特定一般役にかかる特定リプレイ役と、これと異なる一般リプレイ役とを含み、
前記リプレイ役に入賞した場合に、当該入賞してから賭数を設定するまでの処理であって、賭数の自動設定処理を含むリプレイ入賞処理を実行するリプレイ入賞処理実行手段を備え、
前記リプレイ入賞処理実行手段は、前記特定リプレイ役が入賞した場合と、前記一般リプレイ役が入賞した場合とで異なるリプレイ入賞処理を実行することを特徴とする請求項１または２に記載の遊技機。
【請求項４】
前記役抽選手段の役抽選結果に応じて演出を実行する演出実行手段を備え、
前記演出実行手段は、前記役抽選手段による役抽選結果が、前記特定同時当選役の当選である場合と、前記複数の役のいずれにも当選していないハズレの場合とで同じ演出を実行することを特徴とする請求項１ないし３のいずれか１項に記載の遊技機。
【請求項５】
前記特定一般役は、遊技者による前記ストップスイッチの操作態様が所定の態様であるときに前記特定図柄組合せで停止する操作態様限定役であることを特徴とする請求項１ないし４のいずれか１項に記載の遊技機。
【請求項６】
前記特定一般役は、遊技者による前記ストップスイッチの操作態様に関わらず前記特定図柄組合せで停止する非操作態様限定役であることを特徴とする請求項１ないし４のいずれか１項に記載の遊技機。
【請求項７】
前記ボーナス内部当選状態の前記役抽選手段による役抽選において、前記特定同時当選役に代わる代用役が設定され、
前記代用役は、前記複数の一般役のうち、入賞によって得られる遊技用価値が前記特定一般役と同じものであることを特徴とする請求項１ないし６のいずれか１項に記載の遊技機。
【請求項８】
複数種類の図柄を可変表示する可変表示列を複数有する表示手段と、前記表示手段の可変表示を開始させるスタートスイッチと、前記可変表示列それぞれに対応してその可変表示を停止させる複数のストップスイッチとを有し、全ての前記可変表示列が停止したときの図柄組合せに応じて遊技者に価値を付与する遊技機において、
ボーナス役および複数の一般役を含む複数の役のいずれかに当選したか否かを抽選により決定する役抽選手段と、
前記役抽選手段の役抽選結果および前記ストップスイッチの操作態様に基づいて可変表示されている前記可変表示列の停止制御を行う停止制御手段と、
前記役抽選手段により前記ボーナス役に当選したときに、全ての前記可変表示列が停止したときの図柄組合せがボーナス入賞にかかる図柄組合せでなければ、ボーナス入賞にかかる図柄組合せとなるまで当該ボーナス役の当選をボーナス内部当選として持ち越す持ち越し手段とを備え、
前記役抽選手段による役抽選結果は、前記ボーナス役と、前記複数の一般役の中で予め設定された特定一般役とに同時に当選する特定同時当選役の当選を含み、
前記停止制御手段は、前記役抽選手段による役抽選結果が前記特定同時当選役の当選であった場合は、他の役抽選結果では停止することがない特定図柄組合せが停止可能な停止制御を行い、
前記特定同時当選役は、前記持ち越し手段による前記ボーナス内部当選の持ち越し状態において前記役抽選手段による役抽選で当選しないように構成され、
前記ボーナス内部当選状態の前記役抽選手段による役抽選において、前記特定同時当選役に代わる代用役が設定され、
前記代用役は、前記複数の一般役のうち、入賞によって得られる遊技用価値が前記特定一般役と同じであり、
前記代用役は、前記ボーナス内部当選の持ち越し状態でない一般遊技状態の場合に当選の可能性がある前記複数の一般役のうちの、前記特定一般役を除くいずれかで構成されていることを特徴とする遊技機。
【請求項９】
複数種類の図柄を可変表示する可変表示列を複数有する表示手段と、前記表示手段の可変表示を開始させるスタートスイッチと、前記可変表示列それぞれに対応してその可変表示を停止させる複数のストップスイッチとを有し、全ての前記可変表示列が停止したときの図柄組合せに応じて遊技者に価値を付与する遊技機において、
ボーナス役および複数の一般役を含む複数の役のいずれかに当選したか否かを抽選により決定する役抽選手段と、
前記役抽選手段の役抽選結果および前記ストップスイッチの操作態様に基づいて可変表示されている前記可変表示列の停止制御を行う停止制御手段と、
前記役抽選手段により前記ボーナス役に当選したときに、全ての前記可変表示列が停止したときの図柄組合せがボーナス入賞にかかる図柄組合せでなければ、ボーナス入賞にかかる図柄組合せとなるまで当該ボーナス役の当選をボーナス内部当選として持ち越す持ち越し手段とを備え、
前記役抽選手段による役抽選結果は、前記ボーナス役と、前記複数の一般役の中で予め設定された特定一般役とに同時に当選する特定同時当選役の当選を含み、
前記停止制御手段は、前記役抽選手段による役抽選結果が前記特定同時当選役の当選であった場合は、他の役抽選結果では停止することがない特定図柄組合せが停止可能な停止制御を行い、
前記特定同時当選役は、前記持ち越し手段による前記ボーナス内部当選の持ち越し状態において前記役抽選手段による役抽選で当選しないように構成され、
前記ボーナス内部当選状態の前記役抽選手段による役抽選において、前記特定同時当選役に代わる代用役が設定され、
前記代用役は、前記複数の一般役のうち、入賞によって得られる遊技用価値が前記特定一般役と同じであり、
前記複数の一般役は、特殊一般役を含み、
前記停止制御手段は、前記特殊一般役の当選時の前記可変表示列の停止制御に関し、前記ボーナス内部当選の持ち越し状態中に当選したときにだけ特殊図柄組合せが停止可能な停止制御を行い、
前記代用役は、前記特殊一般役で構成されていることを特徴とする遊技機。
【請求項１０】
複数種類の図柄を可変表示する可変表示列を複数有する表示手段と、前記表示手段の可変表示を開始させるスタートスイッチと、前記可変表示列それぞれに対応してその可変表示を停止させる複数のストップスイッチとを有し、全ての前記可変表示列が停止したときの図柄組合せに応じて遊技者に価値を付与する遊技機において、
ボーナス役および複数の一般役を含む複数の役のいずれかに当選したか否かを抽選により決定する役抽選手段と、
前記役抽選手段の役抽選結果および前記ストップスイッチの操作態様に基づいて可変表示されている前記可変表示列の停止制御を行う停止制御手段と、
前記役抽選手段により前記ボーナス役に当選したときに、全ての前記可変表示列が停止したときの図柄組合せがボーナス入賞にかかる図柄組合せでなければ、ボーナス入賞にかかる図柄組合せとなるまで当該ボーナス役の当選をボーナス内部当選として持ち越す持ち越し手段とを備え、
前記役抽選手段による役抽選結果は、前記ボーナス役と、前記複数の一般役の中で予め設定された特定一般役とに同時に当選する特定同時当選役の当選を含み、
前記停止制御手段は、前記役抽選手段による役抽選結果が前記特定同時当選役の当選であった場合は、他の役抽選結果では停止することがない特定図柄組合せが停止可能な停止制御を行い、
前記特定同時当選役は、前記持ち越し手段による前記ボーナス内部当選の持ち越し状態において前記役抽選手段による役抽選で当選しないように構成され、
前記ボーナス内部当選状態の前記役抽選手段による役抽選において、前記特定同時当選役に代わる代用役が設定され、
前記代用役は、前記複数の一般役のうち、入賞によって得られる遊技用価値が前記特定一般役と同じであり、
前記代用役は、前記特定一般役と、これと異なる他の一般役とに同時に当選する同時当選役で構成され、
前記停止制御手段は、当該同時当選役に当選した場合に、前記他の一般役の入賞にかかる図柄組合せとなるように停止制御を行うことを特徴とする遊技機。
【発明の詳細な説明】
【技術分野】
【０００１】
本発明は、可変表示列が停止したときの図柄組合せに応じて遊技者に価値を付与する遊技機に関する。
【背景技術】
【０００２】
遊技機の一例であるスロットマシンでは、役抽選結果とストップスイッチの操作タイミングとに基づいて、各リールの停止制御が行われる。このような停止制御は、原則、当選役に入賞させようとするものであるが、各リールのすべりコマ数に許容量が設定されている場合は、各リールの図柄配列とストップスイッチの操作タイミングとの関係で当選役に入賞しない場合（いわゆる「取りこぼし」）がある。ここで、遊技者に有利なボーナス役を取りこぼした場合、各リールの停止時に、通常では出現しない特殊な図柄組合せとなるように、各リールの停止制御が行われることがある。この図柄組合せは、一般的に「リーチ目」と称され、遊技者にボーナス役の当選を示唆する。また、ボーナス役は、通常、入賞するまで当選状態が持ち越されるため、当選してから入賞するまで、「リーチ目」が出現し得る。この構成によると、遊技者は、「リーチ目」を出現させるために各リールの目押しを行って遊技を楽しんだり、ボーナス役の当選を早期に察知して楽しんだりすることができる。
【０００３】
近年、このようなリールの停止制御を利用して遊技者の興趣をさらに向上する技術が提案されている。例えば、特許文献１に記載のスロットマシンでは、ボーナス役と所定の１枚役に同時当選したゲームにのみに出現する限定リーチ目を設定し、この同時当選役の当選時に、当該限定リーチ目を出現させるべく各リールの停止制御を行う。このようにすると、リーチ目が多様化するため、遊技者の興趣をさらに向上することができる。
【先行技術文献】
【特許文献】
【０００４】
【特許文献１】特開２０１４−１５５７２２号公報（段落０４１８〜０４３０、図１６等参照）
【発明の概要】
【発明が解決しようとする課題】
【０００５】
しかしながら、特許文献１に記載のスロットマシンでは、ボーナス役の当選を持ち越している状態で、再度ボーナス役と所定の１枚役に同時当選すると、限定リーチ目が出現し得る。ボーナス持ち越し中に出現した限定リーチ目に対しては、当該限定リーチ目に対する新たなボーナス当選を期待できないだけでなく、出目に着目している遊技者が損をした気分になって落胆してしまい、興趣の低下を招くおそれがある。
【０００６】
本発明は、上記課題に鑑みてなされたものであり、ボーナス役の当選時のみに可変表示列が特定図柄組合せで停止可能に構成することにより遊技者の興趣を高めるとともに、ボーナス内部当選の持ち越し状態では可変表示列が特定図柄組合せで停止しないようにして遊技者の落胆を防止することを目的とする。
【課題を解決するための手段】
【０００７】
上記目的を達成するために、本発明にかかる遊技機は、複数種類の図柄を可変表示する可変表示列を複数有する表示手段と、前記表示手段の可変表示を開始させるスタートスイッチと、前記可変表示列それぞれに対応してその可変表示を停止させる複数のストップスイッチとを有し、全ての前記可変表示列が停止したときの図柄組合せに応じて遊技者に価値を付与する遊技機において、ボーナス役および複数の一般役を含む複数の役のいずれかに当選したか否かを抽選により決定する役抽選手段と、前記役抽選手段の役抽選結果および前記ストップスイッチの操作態様に基づいて可変表示されている前記可変表示列の停止制御を行う停止制御手段と、前記役抽選手段により前記ボーナス役に当選したときに、全ての前記可変表示列が停止したときの図柄組合せがボーナス入賞にかかる図柄組合せでなければ、ボーナス入賞にかかる図柄組合せとなるまで当該ボーナス役の当選をボーナス内部当選として持ち越す持ち越し手段とを備え、前記役抽選手段による役抽選結果は、前記ボーナス役と、前記複数の一般役の中で予め設定された特定一般役とに同時に当選する特定同時当選役の当選を含み、前記停止制御手段は、前記役抽選手段による役抽選結果が前記特定同時当選役の当選であった場合は、他の役抽選結果では停止することがない特定図柄組合せが停止可能な停止制御を行い、前記特定同時当選役は、前記持ち越し手段による前記ボーナス内部当選の持ち越し状態において前記役抽選手段による役抽選で当選しないように構成され、前記特定一般役は、新たな遊技媒体を投入することなく前回の遊技と同じ賭数で再度遊技を行うリプレイ役であり、前記特定図柄組合せは、前記役抽選手段による役抽選結果が前記特定同時当選役の当選でない場合は停止することがないことを特徴としている。この構成によれば、特定同時当選役に当選したときにのみ、特定図柄組合せを出現させることができるため、遊技者の興趣を高めることができる。また、ボーナス内部当選の持ち越し状態で、可変表示列が特定図柄組合せで停止することがないため、ボーナス内部当選の持ち越し中に各可変表示列が特定図柄組合せで停止して遊技者が落胆するのを防止できる。
【０００８】
また、特定一般役を新たな遊技媒体を投入することなく前回の遊技と同じ賭数で再度遊技を行うリプレイ役とすることで、可変表示列が特定図柄組合せで停止しても遊技者が賭数を損することがないため、遊技者が特定図柄組合せを得るのに賭数を犠牲にすることがない。
【０００９】
また、前記役抽選手段の役抽選結果に応じて演出を実行する演出実行手段を備え、前記リプレイ役は、前記特定一般役にかかる特定リプレイ役と、これと異なる一般リプレイ役とを含み、前記演出実行手段は、前記特定リプレイ役に当選した場合と、前記一般リプレイ役に当選した場合とで異なる演出を実行するようにしてもよい。この構成によると、遊技者にリプレイ役を意識させずに特定図柄組合せに着目させることができる。
【００１０】
また、前記リプレイ役は、前記特定一般役にかかる特定リプレイ役と、これと異なる一般リプレイ役とを含み、前記リプレイ役に入賞した場合に、当該入賞してから賭数を設定するまでの処理であって、賭数の自動設定処理を含むリプレイ入賞処理を実行するリプレイ入賞処理実行手段を備え、前記リプレイ入賞処理実行手段は、前記特定リプレイ役が入賞した場合と、前記一般リプレイ役が入賞した場合とで異なるリプレイ入賞処理を実行するようにしてもよい。この構成によると、遊技者にリプレイ役を意識させずに特定図柄組合せに着目させることができる。
【００１１】
また、前記役抽選手段の役抽選結果に応じて演出を実行する演出実行手段を備え、前記演出実行手段は、前記役抽選手段による役抽選結果が、前記特定同時当選役の当選である場合と、前記複数の役のいずれにも当選していないハズレの場合とで同じ演出を実行するようにしてもよい。この構成によると、特定同時当選役の当選時に、演出実行手段による特定一般役の示唆演出が行われないため、遊技者に特定一般役を意識させずに特定図柄組合せに着目させることができる。
【００１２】
また、前記特定一般役は、遊技者による前記ストップスイッチの操作態様が所定の態様であるときに前記特定図柄組合せで停止する操作態様限定役であってもよい。この場合、各ストップスイッチを所定の操作態様で操作しないと特定図柄組合せとならないため、当該特定図柄組合せの出現により、遊技者が優越感を味わうことができる。
【００１３】
また、前記特定一般役は、遊技者による前記ストップスイッチの操作態様に関わらず前記特定図柄組合せで停止する非操作態様限定役であってもよい。この場合、遊技者の技量によらずに特定図柄組合せを出現させることができるため、初心者でも特定図柄組合せを楽しむことができる。
【００１４】
また、前記ボーナス内部当選状態の前記役抽選手段による役抽選において、前記特定同時当選役に代わる代用役が設定され、前記代用役は、前記複数の一般役のうち、入賞によって得られる遊技用価値が前記特定一般役と同じものであってもよい。この場合、ボーナス内部当選状態で代用役に当選しても、遊技者が特定一般役の当選時に得られたであろう遊技用価値を損することがない。
【００１５】
また、複数種類の図柄を可変表示する可変表示列を複数有する表示手段と、前記表示手段の可変表示を開始させるスタートスイッチと、前記可変表示列それぞれに対応してその可変表示を停止させる複数のストップスイッチとを有し、全ての前記可変表示列が停止したときの図柄組合せに応じて遊技者に価値を付与する遊技機において、ボーナス役および複数の一般役を含む複数の役のいずれかに当選したか否かを抽選により決定する役抽選手段と、前記役抽選手段の役抽選結果および前記ストップスイッチの操作態様に基づいて可変表示されている前記可変表示列の停止制御を行う停止制御手段と、前記役抽選手段により前記ボーナス役に当選したときに、全ての前記可変表示列が停止したときの図柄組合せがボーナス入賞にかかる図柄組合せでなければ、ボーナス入賞にかかる図柄組合せとなるまで当該ボーナス役の当選をボーナス内部当選として持ち越す持ち越し手段とを備え、前記役抽選手段による役抽選結果は、前記ボーナス役と、前記複数の一般役の中で予め設定された特定一般役とに同時に当選する特定同時当選役の当選を含み、前記停止制御手段は、前記役抽選手段による役抽選結果が前記特定同時当選役の当選であった場合は、他の役抽選結果では停止することがない特定図柄組合せが停止可能な停止制御を行い、前記特定同時当選役は、前記持ち越し手段による前記ボーナス内部当選の持ち越し状態において前記役抽選手段による役抽選で当選しないように構成され、前記ボーナス内部当選状態の前記役抽選手段による役抽選において、前記特定同時当選役に代わる代用役が設定され、前記代用役は、前記複数の一般役のうち、入賞によって得られる遊技用価値が前記特定一般役と同じであり、前記代用役は、前記ボーナス内部当選の持ち越し状態でない一般遊技状態の場合に当選の可能性がある前記複数の一般役のうちの、前記特定一般役を除くいずれかで構成されていてもよい。このようにすると、ボーナス内部当選の持ち越し状態と、一般遊技状態とで、停止制御手段の停止データや役抽選手段の役抽選データの共通化が可能である。また、代用役が一般遊技状態で役抽選の対象となる役で構成されるため、遊技者に違和感を与えることがない。
【００１６】
また、複数種類の図柄を可変表示する可変表示列を複数有する表示手段と、前記表示手段の可変表示を開始させるスタートスイッチと、前記可変表示列それぞれに対応してその可変表示を停止させる複数のストップスイッチとを有し、全ての前記可変表示列が停止したときの図柄組合せに応じて遊技者に価値を付与する遊技機において、ボーナス役および複数の一般役を含む複数の役のいずれかに当選したか否かを抽選により決定する役抽選手段と、前記役抽選手段の役抽選結果および前記ストップスイッチの操作態様に基づいて可変表示されている前記可変表示列の停止制御を行う停止制御手段と、前記役抽選手段により前記ボーナス役に当選したときに、全ての前記可変表示列が停止したときの図柄組合せがボーナス入賞にかかる図柄組合せでなければ、ボーナス入賞にかかる図柄組合せとなるまで当該ボーナス役の当選をボーナス内部当選として持ち越す持ち越し手段とを備え、前記役抽選手段による役抽選結果は、前記ボーナス役と、前記複数の一般役の中で予め設定された特定一般役とに同時に当選する特定同時当選役の当選を含み、前記停止制御手段は、前記役抽選手段による役抽選結果が前記特定同時当選役の当選であった場合は、他の役抽選結果では停止することがない特定図柄組合せが停止可能な停止制御を行い、前記特定同時当選役は、前記持ち越し手段による前記ボーナス内部当選の持ち越し状態において前記役抽選手段による役抽選で当選しないように構成され、前記ボーナス内部当選状態の前記役抽選手段による役抽選において、前記特定同時当選役に代わる代用役が設定され、前記代用役は、前記複数の一般役のうち、入賞によって得られる遊技用価値が前記特定一般役と同じであり、前記複数の一般役は、特殊一般役を含み、前記停止制御手段は、前記特殊一般役の当選時の前記可変表示列の停止制御に関し、前記ボーナス内部当選の持ち越し状態中に当選したときにだけ特殊図柄組合せが停止可能な停止制御を行い、前記代用役は、前記特殊一般役で構成されていてもよい。この構成によると、特殊図柄組合せを、ボーナス内部当選の持ち越し状態でしか出現しない出目として利用することができるため、遊技者の興趣をさらに高めることができる。
【００１７】
また、複数種類の図柄を可変表示する可変表示列を複数有する表示手段と、前記表示手段の可変表示を開始させるスタートスイッチと、前記可変表示列それぞれに対応してその可変表示を停止させる複数のストップスイッチとを有し、全ての前記可変表示列が停止したときの図柄組合せに応じて遊技者に価値を付与する遊技機において、ボーナス役および複数の一般役を含む複数の役のいずれかに当選したか否かを抽選により決定する役抽選手段と、前記役抽選手段の役抽選結果および前記ストップスイッチの操作態様に基づいて可変表示されている前記可変表示列の停止制御を行う停止制御手段と、前記役抽選手段により前記ボーナス役に当選したときに、全ての前記可変表示列が停止したときの図柄組合せがボーナス入賞にかかる図柄組合せでなければ、ボーナス入賞にかかる図柄組合せとなるまで当該ボーナス役の当選をボーナス内部当選として持ち越す持ち越し手段とを備え、前記役抽選手段による役抽選結果は、前記ボーナス役と、前記複数の一般役の中で予め設定された特定一般役とに同時に当選する特定同時当選役の当選を含み、前記停止制御手段は、前記役抽選手段による役抽選結果が前記特定同時当選役の当選であった場合は、他の役抽選結果では停止することがない特定図柄組合せが停止可能な停止制御を行い、前記特定同時当選役は、前記持ち越し手段による前記ボーナス内部当選の持ち越し状態において前記役抽選手段による役抽選で当選しないように構成され、前記ボーナス内部当選状態の前記役抽選手段による役抽選において、前記特定同時当選役に代わる代用役が設定され、前記代用役は、前記複数の一般役のうち、入賞によって得られる遊技用価値が前記特定一般役と同じであり、前記代用役は、前記特定一般役と、これと異なる他の一般役とに同時に当選する同時当選役で構成され、前記停止制御手段は、当該同時当選役に当選した場合に、前記他の一般役の入賞にかかる図柄組合せとなるように停止制御を行うようにしてもよい。この場合、ボーナス内部当選の持ち越し状態中に特定図柄組合せが出現するのを防止するのに、特定一般役の役データの削除を行う必要がなく、簡易に代用役を構成することができる。
【図面の簡単な説明】
【００１８】
【図１】本発明の一実施形態にかかるスロットマシンの斜視図である。
【図２】リールの図柄配列を示す図である。
【図３】スロットマシンの電気的構成を示すブロック図である。
【図４】メイン制御基板およびサブ制御基板の機能を示す機能ブロック図である。
【図５】遊技を説明するための図である。
【図６】当選役の入賞図柄態様と配当を示す図である。
【図７】当選役の入賞図柄態様と配当を示す図である。
【図８】リーチ目の一例を示す図である。
【図９】当選役と当選役グループとの関係を示す図である。
【図１０】遊技状態と抽選対象グループの関係を示す図である。
【図１１】代用役を説明するための図である。
【図１２】再遊技役の種類とリプレイ入賞処理の関係を示す図である。
【図１３】代用役の変形例を説明するための図である。
【図１４】代用役の変形例を説明するための図である。
【図１５】抽選対象グループの構成の変形例を説明するための図である。
【発明を実施するための形態】
【００１９】
＜実施形態＞
本発明の一実施形態に係る遊技機の一例であるスロットマシン１について、図１〜図１２を参照して説明する。
【００２０】
（構成）
スロットマシン１の構成の概略について図１および図２を参照して説明する。
【００２１】
この実施形態におけるスロットマシン１は、予め設定された複数の遊技状態のうちのいずれかの遊技状態において、メダルなどの遊技媒体が規定数投入されることを条件とする遊技者の操作に基づいて一回の遊技が実行されるものであって、例えば図１に示すように構成されている。すなわち、このスロットマシン１では、筐体３の前面が前面扉５により開閉自在に閉塞され、この前面扉５のほぼ中央高さの位置に操作板７が配設されると共に、この操作板７の上方に正面板９が配設されている。
【００２２】
そして、この正面板９には横長矩形の表示窓１１が設けられている。また、表示窓１１の内側には、図１、図２に示すように、複数種類の図柄を予め定められた順序で可変表示する左・中・右リール１３Ｌ，１３Ｍ，１３Ｒが配置されている。これら左・中・右リール１３Ｌ，１３Ｍ，１３Ｒには、複数種類の図柄（例えば、「赤７」「青７」「白７」「ＢＡＲ」「ＢＥ（ベル）」「ＣＨ（チェリー）」「ＷＭ１（スイカ１）」「ＷＭ２（スイカ２）」「ＲＰ１（リプレイ１）」「ＲＰ２（リプレイ２）」）が合計２１個、所定の配列でそれぞれ設けられている。また、各図柄には、０番から２０番までのコマ番号が順に付されている。そして、例えば、コマ番号０番から２０番までの図柄が印刷されたリールテープがリールの周面に貼り付けられて各リール１３Ｌ，１３Ｍ，１３Ｒがそれぞれ形成される。また、各リール１３Ｌ，１３Ｍ，１３Ｒが回転すると、コマ番号２０番、１９番、…、０番、２０番、…の予め定められた順に複数の図柄がそれぞれ表示窓１１に変動表示される。表示窓１１からは、各リール１３Ｌ，１３Ｍ，１３Ｒの回転が停止すると、図柄が上段、中段および下段にそれぞれ１個の合計３個ずつ覗くように設定されている。すなわち、３個すべてのリール１３Ｌ，１３Ｍ，１３Ｒが停止すると、縦３列横３行に配列された合計９個の図柄が表示窓１１に停止表示されるようになっている。なお、この実施形態では、リール１３Ｌが「中段」、中リール１３Ｍが「中段」、右リール１３Ｒが「中段」の１ライン（センターライン）が入賞ラインとして設定されている。
【００２３】
また、各リール１３Ｌ，１３Ｍ，１３Ｒをそれぞれ独立して回転駆動できるように、各リール１３Ｌ，１３Ｍ，１３Ｒには、それぞれステッピングモータにより構成される図３
に示すリールモータ１４Ｌ，１４Ｍ，１４Ｒが連結されている。なお、各リール１３Ｌ，１３Ｍ，１３Ｒと各々のリールモータ１４Ｌ，１４Ｍ，１４Ｒとで構成されたリールユニットが本発明の「表示手段」に相当する。
【００２４】
更に、操作板７には、内部に貯留されているクレジットメダルから１枚ずつのメダル投入を指示するためのベットスイッチ１５、クレジットメダルから１ゲーム（遊技）あたりの最大投入枚数（３枚に設定されている）のメダル投入を指示するための最大ベットスイッチ１７、各リール１３Ｌ，１３Ｍ，１３Ｒを回転させて各図柄の可変表示を開始させるレバー状のスタートスイッチ１９、左・中・右リール１３Ｌ，１３Ｍ，１３Ｒの回転をそれぞれ停止させて各図柄の可変表示を停止させる左・中・右ストップスイッチ２１Ｌ，２１Ｍ，２１Ｒ、クレジットメダルを払い出すための精算スイッチ２３、およびメダル投入口２５が設けられている。なお、この実施形態では、１ゲームに必要なメダル投入数（規定数）は、３枚の１種類が設定されている。また、各リール１３Ｌ，１３Ｍ，１３Ｒにより複数種類の図柄を可変表示する複数の可変表示列が形成されており、各ストップスイッチ２１Ｌ，２１Ｍ，２１Ｒは、各リール１３Ｌ，１３Ｍ，１３Ｒそれぞれに対応して設けられている。
【００２５】
また、正面板９の上方のほぼ中央には、動画などを表示して遊技者に当選や入賞などを告知したり、各ストップスイッチ２１Ｌ，２１Ｍ，２１Ｒの操作態様を報知したりする演出を行うための液晶表示器２７が設けられ、液晶表示器２７のすぐ上方には、各種の入賞図柄が表示された説明パネル２９が設けられ、液晶表示器２７および説明パネル２９の左右には、音楽や音声などによる演出を行うためのスピーカ３１Ｌ，３１Ｒがそれぞれ設けられている。また、説明パネル２９およびスピーカ３１Ｌ，３１Ｒの上辺には中央ランプ部３３Ｍが配設され、その左右には左・右ランプ部３３Ｌ，３３Ｒがそれぞれ配設されている。各ランプ部３３Ｍ，３３Ｌ，３３Ｒには、それぞれ発光ダイオードなどの光源が配設されている。これらのランプ部３３Ｍ，３３Ｌ，３３Ｒは一体的に形成され、遊技者に当選や入賞を告知するなどの演出を行うための上部ランプ部３３を構成している。
【００２６】
また、操作板７の下方には、装飾画などが表示された下部パネル３５が設けられ、この下部パネル３５の左右には、それぞれ複数の光源が例えば２列に並んで配置された下部ランプ部３７Ｌ，３７Ｒが設けられている。また、下部パネル３５の下方には、メダル払出口３９や、このメダル払出口３９から払い出されるメダルを受けるメダル受け４１が設けられている。また、正面板９には入賞ラインが描かれ、正面板９の左下隅にはクレジットメダルの貯留枚数を表示するクレジット表示器４５が配設されている。このクレジット表示器４５は、例えば２個の７セグメントＬＥＤで構成され、２桁の貯留枚数（最大で５０枚）が表示可能になっている。
【００２７】
また、各リール１３Ｌ，１３Ｍ，１３Ｒを支持する支持枠体（図示省略）が、筐体３内の後壁に固定されている。筐体３内の支持枠体の下方には、メダルをメダル払出口３９に排出するためのホッパーユニット４３（図３参照）が配設されている。また、メダル投入口２５付近の裏面側には、メダル投入口２５に投入されたメダルが正規のものか否かを選別して正規のメダルのみをホッパーユニット４３に導くメダルセレクタ４８（図３参照）が配設されている。また、ホッパーユニット４３の左側には、操作ボックス４９（図３参照）が筐体３内の左側壁に固定されている。この操作ボックス４９には、電源のオンオフを切り換える電源スイッチ５０（図３参照）が設けられるとともに、後述する設定変更処理のためのキーシリンダおよび押しボタン式の設定変更ボタン５２（図３参照）が設けられている。
【００２８】
続いて、スロットマシン１の電気的な構成について図３を参照して説明する。図３はスロットマシンの電気的構成を示すブロック図である。
【００２９】
図３において、投入センサ５３は、筐体３内部のメダル投入口２５近傍であってメダルセレクタ４８部分に設けられ、メダル投入口２５に投入されたメダルを１枚ずつ検出するものである。払出センサ５４は、ホッパーユニット４３の出口に設けられ、メダル払出口３９に払い出されるメダルを１枚ずつ検出するものである。
【００３０】
左・中・右位置センサ５５Ｌ，５５Ｍ，５５Ｒは、左・中・右リール１３Ｌ，１３Ｍ，１３Ｒの回転位置をそれぞれ検出するためのもので、例えば左・中・右リール１３Ｌ，１３Ｍ，１３Ｒにそれぞれ設けられた突起部を検出するフォトインタラプタからなり、左・中・右リール１３Ｌ，１３Ｍ，１３Ｒが回転すると、一周ごとに突起部を検出してその検出信号をメイン制御基板６３に出力する。この実施形態では、例えば左・中・右位置センサ５５Ｌ，５５Ｍ，５５Ｒが上記突起部を検出したときに、それぞれコマ番号２０番の図柄が表示窓１１の中段に位置するように構成されている。
【００３１】
変更処理開始スイッチ５６は、操作ボックス４９のキーシリンダの内部に設けられており、設定変更キー（図示省略）をキーシリンダに挿入して回転することによりオンオフが切り換えられる。設定変更ボタン５２は、操作ボックス４９内に設けられ、設定変更中は１回押す度に１つ上位の設定値に仮設定される。
【００３２】
ホッパーモータ５７はホッパーユニット４３に配設され、その駆動によりメダルをメダル払出口３９に向けて払い出すものである。
【００３３】
また、このスロットマシン１では、遊技の進行に関する制御を行うメインＣＰＵ６１が実装されたメイン制御基板６３と、メイン制御基板６３から送信された情報に基づき遊技の進行に合わせた演出の制御を行うサブＣＰＵ７１が実装されたサブ制御基板７３とが別々に設けられており、メイン制御基板６３からサブ制御基板７３に対して各種の遊技情報が一方向で送信される。
【００３４】
メイン制御基板６３のＲＡＭ６５はスロットマシン１の遊技状態などの遊技に関するデータを一時的に記憶するものであり、各種のデータを格納するための各種の記憶領域が形成されている。
【００３５】
また、メイン制御基板６３のＲＯＭ６７は予め設定されたデータ（図４の役抽選テーブル６７１、停止テーブル６７２など）を含む遊技機用プログラム（スロットマシン１用のプログラム）を記憶する。
【００３６】
また、メイン制御基板６３のメインＣＰＵ６１は、タイマ割込などの割込機能を有し、ＲＯＭ６７に記憶された遊技機用プログラムを実行することにより、遊技の進行に関する処理を行う。また、メインＣＰＵ６１は、役抽選手段１０５（図４参照）による役抽選結果（後述する役の入賞に必要な情報も含む）に関する情報、各ストップスイッチ２１Ｌ，２１Ｍ，２１Ｒ、スタートスイッチ１９等の遊技者により操作される操作器具の操作に関する情報などの種々の遊技情報をコマンド形式でサブ制御基板７３（サブＣＰＵ７１）に送信する。
【００３７】
また、サブ制御基板７３のメモリ７５は、各種データを一時的に記憶するＲＡＭ部と、演出用の各種プログラムなどを記憶するＲＯＭ部とを備えている。また、サブ制御基板７３のサブＣＰＵ７１は、タイマ割込などの割込機能を有し、サブＣＰＵ７１は、メインＣＰＵ６１から送信されるスロットマシン１に関する各種の遊技情報に基づいてメモリ７５に格納されたプログラムを実行することで、遊技者に対する遊技に関連する演出の内容を決定する。また、サブ制御基板７３のサブＣＰＵ７１は、決定された演出の内容に基づいて、サブ制御基板７３が有するＩ／Ｏポートを介して、液晶表示器２７やスピーカ３１Ｌ，３１Ｒなどの演出機器の制御を行う。
【００３８】
（メイン制御基板）
次に、メイン制御基板６３について、図４〜図１２を参照して詳細に説明する。
【００３９】
図４に示すように、メイン制御基板６３は、ＲＯＭ６７に格納されたプログラムを実行することにより実現される種々の機能や、ハードウェアが制御されることにより実現される種々の機能を備えている。
【００４０】
（１）遊技制御手段１００
遊技制御手段１００は、スロットマシン１の遊技を制御するためのものであり、一般的な遊技である通常遊技（ＲＴ０）および遊技者にとって通常遊技よりも有利な遊技であるビックボーナス遊技（ＢＢ遊技）およびレギュラーボーナス遊技（ＲＢ遊技）と、両ボーナス遊技（ＢＢ遊技、ＲＢ遊技）の内部当選の持越し状態の遊技（ＲＴ１、ＲＴ２）とを実行する。
【００４１】
図５に示すように、通常遊技で特別役「ＢＢ」に入賞すると、ＢＢ遊技に移行する。ＢＢ遊技で、所定枚数のメダルが払い出されたり、所定数の遊技（ゲーム）が実行されたりするなどのＢＢ遊技終了条件が成立すると、ＢＢ遊技が終了して通常遊技に戻る。通常遊技で特別役「ＲＢ」に入賞すると、ＲＢ遊技に移行する。ＲＢ遊技において、所定枚数のメダルが払い出されたり、所定数の遊技（ゲーム）が実行されたりするなどのＲＢ遊技終了条件が成立すると、ＲＢ遊技が終了して通常遊技（ＲＴ０）に戻る。
【００４２】
通常遊技で特別役「ＢＢ」に当選したにも関わらず入賞しなかった場合は、ＢＢ遊技の内部当選の持越し状態である内部当選中遊技（ＲＴ１）に移行する。内部当選中遊技で持越し状態中の特別役「ＢＢ」に入賞するとＢＢ遊技に移行し、上述のＢＢ遊技終了条件の成立により通常遊技（ＲＴ０）に戻る。
【００４３】
通常遊技において、特別役「ＲＢ」に当選したにも関わらず入賞しなかった場合は、ＲＢ遊技の内部当選の持ち越し状態である内部当選中遊技（ＲＴ２）に移行する。当該遊技（ＲＴ２）で持ち越し状態中の特別役「ＲＢ」に入賞するとＲＢ遊技に移行し、上述のＲＢ遊技終了条件の成立により通常遊技（ＲＴ０）に戻る。なお、ＢＢ、ＲＢ遊技終了条件は、例えば、獲得枚数が所定値に達することなど、適宜設定することができる。
【００４４】
ここで、通常遊技の流れの一例について説明する。この実施形態では、スロットマシン１は、３枚のメダルで１遊技（１ゲーム）が行われるように構成されており、ベット枚数カウンタ６５１は、投入メダルの数を３枚まで記憶する。投入センサ５３、ベットスイッチ１５または最大ベットスイッチ１７により３枚のメダルが投入されると、表示窓１１の中央（中段）の水平な入賞ライン（センターライン）が有効となる。そして、規定数である３枚のメダルの投入を条件にスタートスイッチ１９が操作されると、役抽選手段１０５により予め設定された複数の当選役（抽選結果）に当選したか否かの役抽選が行われる。ここで、メイン制御基板６３は、左・中・右リール１３Ｌ，１３Ｍ，１３Ｒの全ての回転を開始させ、リール窓１１に表示される各リール１３Ｌ，１３Ｍ，１３Ｒの図柄を各リール１３Ｌ，１３Ｍ，１３Ｒの回転角に合わせて判別することを開始する。
【００４５】
その後、左・中・右リール１３Ｌ，１３Ｍ，１３Ｒが加速され、左・中・右位置センサ５５Ｌ，５５Ｍ，５５Ｒにより、左・中・右リール１３Ｌ，１３Ｍ，１３Ｒの回転位置が所定の基準位置であることが検出されると、すべてのストップスイッチ２１Ｌ，２１Ｍ，２１Ｒの操作が有効となる。各ストップスイッチ２１Ｌ，２１Ｍ，２１Ｒの操作が有効となった後、左ストップスイッチ２１Ｌが操作されると左リール１３Ｌが停止し、中ストップスイッチ２１Ｍが操作されると中リール１３Ｍが停止し、右ストップスイッチ２１Ｒが操作されると右リール１３Ｒが停止する。このように、各ストップスイッチ２１Ｌ，２１Ｍ，２１Ｒの操作により、各ストップスイッチ２１Ｌ，２１Ｍ，２１Ｒに対応する左・中・右リール１３Ｌ，１３Ｍ，１３Ｒの回転が停止する。
【００４６】
そして、３個すべての左・中・右ストップスイッチ２１Ｌ，２１Ｍ，２１Ｒが操作されると、各左・中・右リール１３Ｌ，１３Ｍ，１３Ｒの回転が停止する。このとき、所定の図柄が、有効となった表示窓１１の中段の入賞ライン上の所定の位置に停止すると、入賞となる。そして、入賞態様に応じた枚数のメダルが、クレジットされるか、またはメダル払出口３９から払い出される。また、メダルの払い出しに代えて、あるいはメダルの払い出しとともに、遊技者に対して所定の利益が付与されることもある。
【００４７】
具体的には、図６および図７に示すように、この実施形態では、特別役として当選役「ＢＢ」および「ＲＢ」、ＢＢ、ＲＢ中増加役として当選役「ｎＢＰ」、再遊技役（本発明の「リプレイ役」に相当）として当選役「ｓＲＰ１」「ｓＲＰ２」「ｎＲＰ」「ｃＲＰ」、小役として当選役「ｎＢＥ（ベル）」「ｎＷＭ（スイカ）」「ｎＣＨ（チェリー）」）が予め設定されている。ここで、当選役「ＢＢ」および「ＲＢ」が、本発明の「ボーナス役」に相当し、ＢＢ、ＲＢ中増加役、再遊技役、小役それぞれが本発明の「一般役」に相当する。
【００４８】
当選役「ＢＢ」の入賞態様は、各リール１３Ｌ，１３Ｍ，１３Ｒの図柄「赤７」が入賞ラインに揃う図柄組合せであり、当選役「ＲＢ」の入賞態様は、入賞ラインに図柄「赤７」−「赤７」−「青７」が揃う図柄組合せである。これらの当選役は、いずれも各ストップスイッチ２１Ｌ，２１Ｍ，２１Ｒの操作タイミングによっては、入賞させることができない「取りこぼし」が発生し得る当選役であり、「取りこぼし」が発生した場合は、次の遊技から入賞するまでの間、ＢＢまたはＲＢ内部当選中遊技に移行する。
【００４９】
ＢＢ、ＲＢ中増加役「ｎＢＰ」は、ＢＢ遊技およびＲＢ遊技中の遊技でのみ役抽選の対象となる当選役である。その入賞時は、表示窓１１中の左リール１３Ｌの下段に図柄「ＢＥ」、中リール１３Ｍの中段に図柄「ＢＥ」、右リール１３Ｒの上段に図柄「ＢＥ」が停止表示される図柄組合せ（右上がりベル）が主な入賞態様に設定されている。なお、当選役「ｎＢＰ」の入賞態様にかかる図柄は、各リール１３Ｌ，１３Ｍ，１３Ｒのいずれでもストップスイッチ２１Ｌ，２１Ｍ，２１Ｒの操作タイミングに依らずに引き込み可能であり、「取りこぼし」が発生しないように構成されている。
【００５０】
当選役「ｎＢＥ（ベル）」は、入賞態様として、表示窓１１内の左リール１３Ｌの上段に図柄「ＢＥ」、中リール１３Ｍの上段に図柄「ＢＥ」、右リール１３Ｒの上段に図柄「ＢＥ」が停止表示される図柄組合せ（上段ベル）と、全てのリール１３Ｌ，１３Ｍ，１３Ｒの中段に図柄「ＢＥ」が停止表示される図柄組合せ（中段ベル）と、左リール１３Ｌの上段に図柄「ＢＥ」、中リール１３Ｍの中段に図柄「ＢＥ」、右リール１３Ｒの下段に図柄「ＢＥ」が停止表示される図柄組合せ（右下がりベル）の３種類が設定されている。また、当選役「ｎＢＥ」は、当選すると必ず入賞するように構成されており、ストップスイッチ２１Ｌ，２１Ｍ，２１Ｒの操作タイミングに応じて、上述の３種類の入賞態様のうちのいずれかが停止表示される。
【００５１】
当選役「ｎＣＨ（チェリー）」の入賞態様は、中、右リール１３Ｍ，１３Ｒの図柄の停止表示態様によらずに、入賞ラインの左リール１３Ｌの図柄が「ＣＨ」の図柄組合せである。この当選役は、左ストップスイッチ２１Ｌの操作タイミングによっては、入賞させることができない「取りこぼし」が発生する。
【００５２】
当選役「ｎＷＭ（スイカ）」の入賞態様（センターラインの図柄組合せ）は、左リール１３Ｌが図柄「ＢＥまたはＲＰ１」、中リール１３Ｍが図柄「ＷＭ１またはＷＭ２」、右リール１３Ｒが図柄「ＢＥまたはＷＭ１またはＷＭ２」である。この当選役は、中リール１３Ｍのストップスイッチ２１Ｌ，２１Ｍの操作タイミングによっては、入賞させることができない「取りこぼし」が発生する。
【００５３】
ここで、当選役「ｎＣＨ」、「ｎＷＭ」の両方の「取りこぼし」をなくすためのストップスイッチ２１Ｌ，２１Ｍ，２１Ｒの操作方法の一例を説明する。例えば、左リール１３Ｌの図柄「ＢＡＲ」を、「枠上」か「上段」に目押しする。このとき、当選役「ｎＣＨ」が当選している場合は、左リール１３Ｌの中段に図柄「ＣＨ」が停止するため当選役「ｎＣＨ」の「取りこぼし」をなくすことができる。また、当選役「ｎＷＭ」に当選している場合は、上述の図柄「ＢＡＲ」が枠下まで滑り、左リール１３Ｌの図柄「ＷＭ１（コマ番号４）」が上段に停止する。左リール１３Ｌの上段に図柄「ＷＭ１」が停止した場合、中リール１３Ｍの図柄「ＢＡＲ」を上段か中段に目押しすると、図柄「ＢＡＲ」の１つ上の図柄「ＷＭ２」が中段に停止する。右リール１３Ｒは、どのようなタイミングで操作しても図柄「ＷＭ１」または「ＷＭ２」のいずれかが下段に停止するように図柄が配列されているため、適当なタイミングで操作しても当選役「ｎＷＭ」の「取りこぼし」が発生しない。なお、このようなストップスイッチ２１Ｌ，２１Ｍ，２１Ｒの操作方法（小役回収打法）は、一般的に「ＤＤＴ打法」（または、「ＫＫＫ打法」）と呼ばれている。
【００５４】
再遊技役は、当選役「ｓＲＰ１」、「ｓＲＰ２」、「ｎＲＰ」、「ｃＲＰ」の４種類が設定されており、いずれも入賞すると次の遊技で新たなメダルを投入することなく当該入賞遊技のメダルの賭数と同じ賭数で再度遊技を行うことができる。当選役「ｓＲＰ１」の入賞態様（センターラインの図柄組合せ）は、左リール１３Ｌが図柄「ＲＰ２」、中リール１３Ｍが図柄「ＢＡＲ」、右リール１３Ｒが図柄「ＲＰ１またはＲＰ２」である。この場合、左、中リール１３Ｌ，１３Ｍの操作タイミングによっては「取りこぼし」が発生するが、上述の「ＤＤＴ打法」を実践すると、各リール１３Ｌ，１３Ｍ，１３Ｒが、図８（ａ）に示すような図柄組合せ（特殊リーチ目：右上がりの「ＢＡＲ」−「ＢＡＲ」−「ＷＭ１／２」）で停止する。ここで、左リール１３Ｌの図柄「ＢＡＲ」の１つ上の図柄（中段の図柄）が「ＲＰ２」、右リール１３Ｒの図柄「ＷＭ１またはＷＭ２」の１つ下の図柄（中段の図柄）が「ＲＰ１またはＲＰ２」であり、当選役「ｓＲＰ１」の入賞態様となる。なお、図８（ａ）に示す特殊リーチ目は、当選役「ｓＲＰ１」に当選した遊技でしか発生しないものである。また、再遊技役の中で、特殊リーチ目が出現し得る当選役「ｓＲＰ１」および「ｓＲＰ２」それぞれが、本発明の「特定リプレイ役」に相当し、その他の当選役「ｎＲＰ」、「ｃＲＰ」それぞれが、本発明の「一般リプレイ役」に相当する。
【００５５】
当選役「ｓＲＰ２」の入賞態様（センターラインの図柄組合せ）は、左リール１３Ｌが図柄「ＢＥ」、中リール１３Ｍが図柄「ＣＨまたはＷＭ１またはＷＭ２」、右リール１３Ｒが図柄「ＷＭ１またはＷＭ２」である。この場合、各ストップスイッチ２１Ｌ，２１Ｍ，２１Ｒをどのようなタイミングで操作しても「取りこぼし」が発生しない構成となっている。また、「ＤＤＴ打法」を実践すると、図８（ｂ）に示すような図柄組合せで各リール１３Ｌ，１３Ｍ，１３Ｒが停止する。すなわち、左、中リール１３Ｌ，１３Ｍは、当選役「ｎＷＭ」と同じ停止表示態様となるため、遊技者は、当選役「ｎＷＭ」の入賞（右下がりスイカ）を予想するが、右リール１３Ｒが停止したときに図柄「ＷＭ１またはＷＭ２」が１つ上の中段に停止することで、スイカが外れてリーチ目になったと認識することになる。なお、図８（ｂ）に示す特殊リーチ目（右下がりスイカハズレ）は、当選役「ｓＲＰ２」に当選した遊技でしか発生しないものである。また、図８（ａ）および図８（ｂ）の特殊リーチ目が、本発明の「特定図柄組合せ」に相当する。なお、図８（ｂ）の左リール１３Ｌと中リール１３Ｍの出目である「右下がりスイカテンパイ」は、スイカまたはボーナス当選のときにのみ発生し、他の役の当選時には停止しないように停止制御されていると、「右下がりテンパイ」の出目が出現した後、スイカが入賞しなければボーナス当選という一層の面白さが感じられる。
【００５６】
当選役「ｎＲＰ」の入賞態様（センターラインの図柄組合せ）は、左リール１３Ｌが図柄「ＲＰ１またはＲＰ２」、中リール１３Ｍが図柄「ＲＰ１またはＲＰ２」、右リール１３Ｒが図柄「ＲＰ１またはＲＰ２」である。当選役「ｃＲＰ」の入賞態様（センターラインの図柄組合せ）は、左リール１３Ｌが図柄「ＢＥ」、中リール１３Ｍが図柄「ＢＥ」、右リール１３Ｒが図柄「ＷＭ１またはＷＭ２」である。これらの当選役「ｎＲＰ」、「ｃＲＰ」は、いずれも「取りこぼし」が発生しない再遊技役として設定されている。
【００５７】
なお、図６および図７に示す各当選役にかかる図柄組合せが入賞ライン（センターライン）に揃うと、当該当選役の入賞となって、図６および図７の「配当」の欄に示す枚数のメダルが払い出される。
【００５８】
（２）設定変更手段１０１
図４の設定変更手段１０１は、所定の設定変更操作に基づいて、出玉率（獲得メダル数÷投入メダル数×１００[％]）の調整をするための設定（設定１〜設定６）を変更するものである。各設定の出玉率は、例えば、設定値毎に特別役（当選役「ＢＢ」、「ＲＢ」）の当選確率を変えることで調整できる。
【００５９】
ここで、設定値を変更するための設定変更操作の一例について説明する。例えば、スロットマシン１の電源が投入される前に変更処理開始スイッチ５６（設定キー）をＯＮ状態にし、電源を投入すると、設定変更処理が開始される。このとき、設定変更ボタン５２（リセットスイッチ）を１回押すと、電源投入前に設定された設定値から１つ上位の設定値に仮設定される（例えば、設定３から設定４に仮設定）。その後は、設定変更ボタン５２を押す度に１つ上位の設定値に仮設定される。但し、仮設定値が６の場合に設定変更ボタン５２を押すと、設定値が１に戻って仮設定される。そして、最後に、スタートスイッチ１９のＯＮ操作により設定値が確定し、その時の仮設定値がスロットマシン１の設定値になる。
【００６０】
（３）テーブル選択手段１０２
図４のテーブル選択手段１０２は、遊技制御手段１００により制御される遊技の種類（通常遊技や内部当選中遊技、ＢＢ、ＲＢ遊技など）、および、設定変更手段１０１により設定された設定値（設定１から設定６）に基づき、複数の役抽選テーブル６７１から１つの役抽選テーブルを選択するものである。すなわち、例えば通常遊技では、テーブル選択手段１０２は、役抽選テーブルとして、入賞確率の設定値（設定１〜設定６）に応じて役抽選テーブル６７１（通常遊技用役抽選テーブル）を選択する。
【００６１】
（４）乱数発生手段１０３
図４の乱数発生手段１０３は、抽選用の乱数を所定の範囲内で発生させるものである。また、乱数発生手段１０３は、例えば、発振回路と、この発振回路が発生させたクロック信号をカウントするカウンタ回路とによって構成することができる（いわゆるハード乱数）。なお、乱数発生手段１０３は、例えば、平均採中法で乱数を発生させる手段や、あるいは素数の加算によって乱数を発生させる手段によって構成することもできる。これらの手段は、例えば、メインＣＰＵ６１に所定のプログラムを実行させることによって構成することができる（いわゆるソフト乱数）。また、ハード乱数とソフト乱数の双方を備え、それらの結果に基づき乱数をソフト的に生成するようにしてもよい。また、この実施形態では、後述する役抽選手段１０５に用いられる乱数を発生させる。
【００６２】
（５）乱数抽出手段１０４
図４の乱数抽出手段１０４は、乱数発生手段１０３が発生する乱数値を抽出するもので、当該乱数値を所定の条件で抽出する。この実施形態では、乱数抽出手段１０４は、スタートスイッチ１９が操作されたタイミングで乱数値を抽出する。なお、乱数発生手段１０３は、カウンタ回路などによって構成されるため、乱数発生手段１０３が発生させる数値は、厳密には乱数ではない。しかしながら、スタートスイッチ１９が操作されるタイミングはランダムであると考えられるため、乱数抽出手段１０４が抽出する数値は、実質的には乱数として取り扱うことができる。
【００６３】
（６）役抽選手段１０５
図４の役抽選手段１０５は、予め設定された複数の役に当選したか否かを抽選により決定するもので、図４に示すように、役抽選判定手段１０５ａを備えている。
【００６４】
この実施形態では、役抽選手段１０５により複数の当選役に同時に当選することができるように構成されている。この場合、図９に示すように、役抽選を行うに当たり、１または複数の当選役で構成された複数の当選役グループが設定される。例えば、複数の当選役で構成された当選役グループ「ＳＲＰ１」の場合は、当選すると、当選役「ｓＲＰ１」および「ｎＲＰ」の両方に同時に当選したことを意味する。また、この実施形態では、当選役グループ「ＳＲＰ１」に当選した場合、各ストップスイッチ２１Ｌ，２１Ｍ，２１Ｒの操作タイミング（操作態様）に応じて当選役「ｓＲＰ１」および「ｎＲＰ」のいずれかに入賞するように構成されている。なお、当選役グループ「ＨＺ」は、いずれの当選役にも当選していないハズレを意味している。
【００６５】
また、この実施形態では、役抽選において複数の当選役グループに同時に当選する同時当選役が設定されている。具体的には、図１０に示すように、役抽選の区分として、１または複数（この実施形態では２つ）の当選役グループで構成された複数の抽選対象グループが設定されており、役抽選手段１０５は、これらの抽選対象グループのいずれかに当選したか否かを抽選により決定する。ここで、複数の当選役グループで構成された各抽選対象グループのいずれかに当選した場合は、当該抽選対象グループを構成する各当選役グループに同時に当選したことを意味する。例えば、抽選対象グループ「ＳＲＰ１＋ＢＢ」（同時当選役）に当選した場合は、当選役グループ「ＳＲＰ１」および当選役グループ「ＢＢ」に同時に当選したことを意味し、換言すると、当選役「ＢＢ」、「ｓＲＰ１」、「ｎＲＰ」の３種類の当選役に同時に当選したことを意味する。複数の当選役グループで構成された他の抽選対象グループ「ＳＲＰ２＋ＢＢ」「ＳＲＰ２＋ＲＢ」「ＣＲＰ＋ＢＢ」「ＣＲＰ＋ＲＢ」も同様である。
【００６６】
また、図９に示すように、各当選役グループには、それぞれ固有の上位役番号または下位役番号が１６進数で対応付けされている。そして、役抽選手段１０５の役抽選結果に基づいて、当選した当選役グループに上位役番号が対応付けされていれば、当選した当選役グループに対応付けされている上位役番号が役抽選結果記憶領域６５３の上位記憶領域に格納される。また、当選した当選役グループに下位役番号が対応付けされていれば、当選した当選役グループに対応付けされている下位役番号が役抽選結果記憶領域６５３の下位記憶領域に格納される。
【００６７】
この実施形態では、役抽選結果記憶領域６５３は、ＲＡＭ６５に２バイトのデータ領域として割当てられており、役抽選結果記憶領域６５３は、それぞれ１バイトのデータ領域が割当てられた、特別役に関する役抽選結果を記憶する上位記憶領域と、小役、ＢＢ中増加役および再遊技役に関する役抽選結果を記憶する下位記憶領域とを備えている。
【００６８】
そして、図９（ａ）に示す、特別役（当選役「ＢＢ」、「ＲＢ」）で構成される当選役グループ「ＢＢ」、「ＲＢ」のいずれかに当選した場合には、当選した当選役グループに対応付けされている”０１ｈ”または”０２ｈ”のいずれかが上位記憶領域に記憶される。また、図９（ｂ）に示す、小役、ＢＢ中増加役および再遊技役により構成される当選役グループのいずれかに当選した場合には、各当選役グループに対応付けされている”０１ｈ”〜”０９ｈ”のいずれかが下位記憶領域に記憶される。
【００６９】
なお、図９に示す当選役グループＨＺは、役抽選手段１０５による役抽選結果がハズレである場合を示し、役抽選結果がハズレである場合には、同図中に示すように、役抽選結果記憶領域６５３の上位記憶領域および下位記憶領域の両方に”００ｈ”が格納される。同時当選役では、例えば、抽選対象グループ「ＳＲＰ１＋ＢＢ」に当選した場合、役抽選結果記憶領域６５３の上位記憶領域に“０１ｈ”が記憶されるとともに、下位記憶領域に“０３ｈ”が記憶される。なお、下位記憶領域のデータは、当選役の入賞に有無に関わらず役抽選の度に書き換えられるのに対して、上位記憶領域のデータは、入賞するまで維持される。すなわち、特別役（当選役「ＢＢ」、「ＲＢ」）は、入賞するまでその当選状態が持ち越される。このように、特別役に当選した場合に、入賞するまで上位記憶領域のデータが維持される機能、つまり、特別役の当選を内部当選として持ち越される機能が、本発明の「持ち越し手段」に相当する。
【００７０】
また、図１０に示すように、各抽選対象グループは、遊技状態に応じて、役抽選手段１０５による役抽選が行われるか否かが設定されている。例えば、抽選対象グループ「ＳＲＰ１＋ＢＢ」は、通常遊技（ＲＴ０）のみで抽選対象となる。また、抽選対象グループ「ＣＲＰ」は、通常遊技（ＲＴ０）、ＢＢ内部当選中遊技（ＲＴ１）、ＲＢ内部当選中遊技（ＲＴ２）のときに抽選対象となる。なお、図１０の”○”は役抽選手段１０５により当選となる可能性があることを示し、”×”は、役抽選手段１０５による役抽選が行われない、もしくは、当選確率０％の抽選データに基づく役抽選が行われることにより、役抽選手段１０５に当選となる可能性がないことを示す。
【００７１】
そして、この実施形態では、役抽選手段１０５の役抽選に用いられる役抽選テーブル６７１には、各抽選対象グループにそれぞれ抽選データが設定されている。役抽選テーブル６７１は、各抽選対象グループに当選したか否かの役抽選を行うためのものであって、各抽選データにより、乱数発生手段１０３が発生する乱数の全範囲中での当選領域が決定される。
【００７２】
例えば、乱数発生手段１０３が発生する乱数の全範囲中において、図１１に示すように、各抽選対象グループの当選領域が割り振られている場合、役抽選手段１０５は、通常遊技（ＲＴ０）では、抽選対象グループ「ＢＢ」、「ＲＢ」、「ＳＲＰ１＋ＢＢ」…の順に当選したか否かを判断し、抽選対象グループ「ＢＢ」〜「ＮＷＭ」のいずれにも当選しなかった場合は、ハズレ（「ＨＺ」）と判断する。
【００７３】
なお、この実施形態では、特別役との同時当選にかかる再遊技役「ｓＲＰ１」（当選役グループ「ＳＲＰ１」）および「ｓＲＰ２」（当選役グループ「ＳＲＰ２」）は、ＢＢ、ＲＢ内部当選中遊技の役抽選で当選しないように構成されている。具体的には、図１１に示すように、ＢＢ内部当選中遊技（ＲＴ１）でテーブル選択手段１０２により選択される役抽選テーブル６７１（ＢＢ内部当選中遊技用役抽選テーブル）では、通常遊技の抽選対象グループ「ＳＲＰ１＋ＢＢ」、「ＳＲＰ２＋ＢＢ」、「ＳＲＰ２＋ＲＢ」それぞれに対して、代用役として当選役グループ「ＣＲＰ」、「ＴＲＰ」、「ＣＲＰ」が設定されている。例えば、乱数発生手段１０３が発生する乱数値が、通常遊技において抽選対象グループ「ＳＲＰ１＋ＢＢ」の当選領域にある場合には、代用役の当選役グループ「ＣＲＰ」に当選するように構成されている。
【００７４】
また、抽選対象グループ「ＢＢ」、「ＲＢ」、「ＣＲＰ＋ＢＢ」、「ＣＲＰ＋ＲＢ」にも代用役が設定されている。すなわち、乱数発生手段１０３が発生する乱数値が、通常遊技において抽選対象グループ「ＢＢ」および「ＲＢ」の当選領域にある場合には、いずれも「ＨＺ（ハズレ）」となり、抽選対象グループ「ＣＲＰ＋ＢＢ」および「ＣＲＰ＋ＲＢ」の当選領域にある場合は、いずれも当選役グループ「ＣＲＰ」に当選するように構成されている。
【００７５】
また、ＲＢ内部当選中遊技においても、抽選対象グループ「ＳＲＰ１＋ＢＢ」、「ＳＲＰ２＋ＢＢ」、「ＳＲＰ２＋ＲＢ」それぞれに対して、代用役として当選役グループ「ＮＲＰ」、「ＴＲＰ」、「ＮＲＰ」が設定されるとともに、抽選対象グループ「ＣＲＰ＋ＢＢ」、「ＣＲＰ＋ＲＢ」それぞれに対して、代用役として当選役グループ「ＮＲＰ」が設定されている。
【００７６】
また、ＢＢ遊技およびＲＢ遊技では、抽選対象グループとして当選役グループ「ＮＢＰ」の１種類が設定され、役抽選手段１０５は、当選役グループ「ＮＢＰ」に当選していない場合は、「ＨＺ（ハズレ）」と判断する。
【００７７】
なお、詳細な説明は省略するが、役抽選テーブル６７１には、役抽選におけるメダル数増加の期待値が異なる複数種類の抽選データが設けられており、この実施形態では、期待値が最も低い設定１から期待値が最も高い設定６までの６種類の抽選データが抽選対象グループごとに設けられている。
【００７８】
ａ）役抽選判定手段１０５ａ
役抽選判定手段１０５ａは、乱数抽出手段１０４が抽出した乱数値と、テーブル選択手段１０２が選択した役抽選テーブル６７１に含まれる抽選データとを照合して、乱数抽選結果の判定を行うものである。すなわち、この役抽選判定手段１０５ａは、乱数抽出手段１０４が抽出した乱数値と、複数の役抽選テーブル６７１からテーブル選択手段１０２により選択された抽選テーブルに含まれる抽選データを照合して、乱数抽選の結果が、特別役当選か、小役当選か、ＢＢ中増加役当選か、再遊技役当選か、あるいはハズレかを判定する。そして、役抽選判定手段１０５ａによる判定結果が、ＲＡＭ６５に形成された役抽選結果記憶領域６５３に記憶される。
【００７９】
（７）メイン側操作判定手段１０６
図４のメイン側操作判定手段１０６は、メイン制御基板６３に入力される各ストップスイッチ２１Ｌ，２１Ｍ，２１Ｒが操作されることによる検出信号に基づいて、各ストップスイッチ２１Ｌ，２１Ｍ，２１Ｒの操作順序を判定するものである。
【００８０】
（８）リール検出手段１０７
図４のリール検出手段１０７は、左・中・右位置センサ５５Ｌ，５５Ｍ，５５Ｒの検出信号と、左・中・右リール１３Ｌ，１３Ｍ，１３Ｒを駆動する各リールモータ１４Ｌ，１４Ｍ，１４Ｒへの供給パルス数とに基づき、左・中・右リール１３Ｌ，１３Ｍ，１３Ｒの回転位置をそれぞれ検出するものである。この場合、リール検出手段１０７は、左・中・右リール１３Ｌ，１３Ｍ，１３Ｒの回転中および回転停止時に、所定の基準位置（この実施形態では例えば、表示窓１１の中段）に位置する図柄に対応するコマ番号をそれぞれ検出する。
【００８１】
（９）停止制御手段１０８
図４の停止制御手段１０８は、役抽選手段１０５の役抽選結果および各ストップスイッチ２１Ｌ，２１Ｍ，２１Ｒの操作態様に基づいて、各リール１３Ｌ，１３Ｍ，１３Ｒの停止制御を行うものである。この場合、停止制御手段１０８は、１遊技毎に、停止テーブル６７２を用いて各リール１３Ｌ，１３Ｍ，１３Ｒの停止制御を行う。
【００８２】
停止テーブル６７２は、役抽選手段１０５の役抽選結果それぞれに対応して複数のテーブルが設定されている。この停止テーブル６７２は、各リール１３Ｌ，１３Ｍ，１３Ｒの停止位置を決定するためのものであって、ストップスイッチ２１Ｌ，２１Ｍ，２１Ｒが操作されたときのリール１３Ｌ，１３Ｍ，１３Ｒの回転位置に応じて、各リール１３Ｌ，１３Ｍ，１３Ｒの滑りコマ数をあらかじめ定めたものである。
【００８３】
具体的には、停止テーブル６７２は、各リール１３Ｌ，１３Ｍ，１３Ｒそれぞれについて、対応する各ストップスイッチ２１Ｌ，２１Ｍ，２１Ｒが１番目に操作されたときの第１停止用の停止テーブルと、２番目に操作されたときの第２停止用の停止テーブルと、３番目に操作されたときの第３停止用の停止テーブルとを個別に備えている。そして、各リール１３Ｌ，１３Ｍ，１３Ｒそれぞれに対応する第１停止用の停止テーブルと、第２停止用の停止テーブルと、第３停止用の停止テーブルとには、役抽選手段１０５の役抽選結果に対応して、異なる滑りコマ数が定められている。
【００８４】
そして、停止制御手段１０８は、役抽選手段１０５の役抽選結果と、メイン側操作判定手段１０６により判定された、ストップスイッチ１３Ｌ，１３Ｍ，１３Ｒのうち、いずれのストップスイッチが何番目に操作されたのかという情報とに基づいて、複数の停止テーブル６７２の中から一の停止テーブル６７２を選択する。次に、この選択した一の停止テーブル６７２と、各リール１３Ｌ，１３Ｍ，１３Ｒのうち、操作されたストップスイッチに対応するリールの、ストップスイッチが操作されたときの回転位置とから、操作されたストップスイッチに対応するリールの滑りコマ数を決定する。
【００８５】
ここで、滑りコマ数が０と決定されれば、直ちにリールの回転を停止させる。すなわち、滑りコマ数が０と決定されると、ストップスイッチが操作されたときに表示窓１１の上段に表示されていた図柄は、そのまま表示窓１１の上段に停止表示される。また、滑りコマ数が１と決定されれば、１コマ分だけリールを回転させて停止させる。すなわち、滑りコマ数が１と決定されると、ストップスイッチが操作されたときに表示窓１１の上段に表示されていた図柄は、リールの回転方向に１コマずれて、表示窓１１の中段に停止表示される。
【００８６】
また、停止制御手段１０８は、役抽選手段１０５の役抽選結果が複数の当選役のいずれかへの当選であれば、この役抽選結果に基づいて選択された停止テーブル６７２と、各ストップスイッチ２１Ｌ，２１Ｍ，２１Ｒが操作されたときの各リール１３Ｌ，１３Ｍ，１３Ｒの回転位置とから、当選役に入賞するように各リール１３Ｌ，１３Ｍ，１３Ｒの滑りコマ数を決定して、各リール１３Ｌ，１３Ｍ，１３Ｒの停止制御を行う。
【００８７】
また、停止制御手段１０８は、役抽選手段１０５による役抽選結果がハズレであれば、この役抽選結果に基づいて選択された停止テーブル６７２と、各ストップスイッチ２１Ｌ，２１Ｍ，２１Ｒが操作されたときの各リール１３Ｌ，１３Ｍ，１３Ｒの回転位置とから、複数の当選役のいずれにも入賞しないように各リール１３Ｌ，１３Ｍ，１３Ｒの滑りコマ数を決定して、各リール１３Ｌ，１３Ｍ，１３Ｒの停止制御を行う。なお、この実施形態では、滑りコマ数に上限（４コマ）が設けられており、上述のように、当選役「ｎＣＨ（チェリー）」および「ｎＷＭ（スイカ）」は、ストップスイッチ２１Ｌ，２１Ｍ，２１Ｒの操作タイミングによって、「取りこぼし」が発生する。この場合、停止制御手段１０８は、「取りこぼし」が生じる場合は、当選していない他の当選役に入賞しないように各リール１３Ｌ，１３Ｍ，１３Ｒの停止制御を行う。
【００８８】
また、この実施形態では、例えば、抽選対象グループ「ＳＲＰ１＋ＢＢ」に当選した場合、当選役グループ「ＢＢ」および「ＳＲＰ１」に同時当選しているが、この場合、停止制御手段１０８は、当選役「ｓＲＰ１」、「ｎＲＰ」、「ＢＢ」の優先順位で入賞するように各リール１３Ｌ，１３Ｍ，１３Ｒの停止制御を行う。
【００８９】
ところで、通常遊技では、小役の取りこぼしを防止するために、上述の「ＤＤＴ打法」を実践するのが一般的である。「ＤＤＴ打法」を実践しているときに、抽選対象グループ「ＳＲＰ１＋ＢＢ」に当選すると、左リール１３Ｌでは、優先順位が１番目の当選役「ｓＲＰ１」の入賞にかかる図柄「ＲＰ２」を引き込むことができるため、停止制御手段１０８は、左リール１３Ｌの中段に図柄「ＲＰ２」が停止するように左リール１３Ｌの停止制御を行う。残りのリール１３Ｍ，１３Ｒについても、それぞれ当選役「ｓＲＰ１」の入賞にかかる図柄（中リール１３Ｍ：「ＢＡＲ」、右リール１３Ｒ：「ＲＰ１／２」）を入賞ラインに引き込めるタイミングでストップスイッチ２１Ｍ，２１Ｒが操作された場合は、当選役「ｓＲＰ１」の入賞にかかる図柄が停止するように両リール１３Ｍ，１３Ｒの停止制御を行う。ここで、入賞にかかる図柄を引き込めるタイミングで中ストップスイッチ２１Ｍが操作されなかった場合は、優先順位が２番目の当選役「ｎＲＰ」が入賞させるべく、中リール１３Ｍの中段に図柄「ＲＰ１／２」が停止するように中リール１３Ｍの停止制御を行う。なお、当選役「ｎＲＰ」は、「取りこぼし」が発生しないため必ず入賞する。したがって、抽選対象グループ「ＳＲＰ１＋ＢＢ」に当選した遊技では、当選役「ＢＢ」には入賞せず、当選役「ｓＲＰ１」と「ｎＲＰ」にいずれかに入賞する。
【００９０】
抽選対象グループ「ＳＲＰ２＋ＢＢ」に当選した場合、停止制御手段１０８は、当選役「ｓＲＰ２」、「ＢＢ」の優先順位で入賞するように各リール１３Ｌ，１３Ｍ，１３Ｒの停止制御を行う。当選役「ｓＲＰ２」は、「取りこぼし」が発生しないため、抽選対象グループ「ＳＲＰ２＋ＢＢ」に当選した遊技では、当選役「ＢＢ」には入賞せずに、必ず当選役「ｓＲＰ２」に入賞する。なお、「ＤＤＴ打法」を実践している場合は、表示窓１１内に、図８（ｂ）に示す「右下がりスイカ」のはずれ目の特殊リーチ目が表示される。
【００９１】
抽選対象グループ「ＳＲＰ２＋ＲＢ」に当選した場合、停止制御手段１０８は、当選役「ｓＲＰ２」、「ＲＢ」の優先順位で入賞するように各リール１３Ｌ，１３Ｍ，１３Ｒの停止制御を行う。停止制御手段１０８の停止制御は、抽選対象グループ「ＳＲＰ２＋ＢＢ」と同様である。なお、上述の特殊リーチ目が出現し得る抽選対象グループ「ＳＲＰ１＋ＢＢ」、「ＳＲＰ２＋ＢＢ」、「ＳＲＰ２＋ＲＢ」それぞれが、本発明の「特定同時当選役」に相当し、これらのグループの構成当選役である当選役「ｓＲＰ１」、「ｓＲＰ２」それぞれが、本発明の「特定一般役」に相当する。
【００９２】
抽選対象グループ「ＣＲＰ＋ＢＢ」および「ＣＲＰ＋ＲＢ」に当選した場合、停止制御手段１０８は、いずれも特別役（当選役「ＢＢ」または「ＲＢ」）、「ＣＲＰ」の優先順位で入賞するように各リール１３Ｌ，１３Ｍ，１３Ｒの停止制御を行う。当選役「ｃＲＰ」は、上述のように「取りこぼし」が発生しないので、特別役（当選役「ＢＢ」または「ＲＢ」）の「取りこぼし」が発生した場合は必ず当選役「ｃＲＰ」に入賞する。
【００９３】
当選役グループ「ＴＲＰ」（抽選対象グループ「ＴＲＰ」）は、通常遊技の抽選対象グループ「ＳＲＰ２＋ＢＢ」の代用役であり、ＢＢ、ＲＢ内部当選遊技でのみ抽選対象となるものである。当選した場合は、当選役「ｓＲＰ２」、「ｎＲＰ」、「ｃＲＰ」に同時に当選したことになるが、この場合、停止制御手段１０８は、ＢＢ内部当選中遊技では、当選役「ｃＲＰ」に、ＲＢ内部当選中遊技では、当選役「ｎＲＰ」に入賞するように、各リール１３Ｌ，１３Ｍ，１３Ｒの停止制御を行う。したがって、この場合の当選役「ｓＲＰ２」は、当選が許容されてはいるものの、入賞はしない当選役として設定されている。なお、この場合の当選役「ｎＲＰ」および「ｃＲＰ」それぞれが、本発明の「他の一般役」に相当する。
【００９４】
当選役「ｓＲＰ１」および「ｓＲＰ２」は、いずれも通常遊技のみで抽選対象となっており、かつ、特別役（当選役「ＢＢ」または「ＲＢ」）と同時に当選する当選役として設けられている。また、当選役「ｓＲＰ１」および「ｓＲＰ２」は、いずれも特別役（当選役「ＢＢ」、「ＲＢ」）に当選した遊技でのみ入賞し得るものである。したがって、図８（ａ）および図８（ｂ）に示す特殊リーチ目は、いずれも特別役（当選役「ＢＢ」、「ＲＢ」）に当選した遊技でのみ発生し得るリーチ目となる。これに対して、図８（ｃ）は、当選役「ＢＢ」、「ＲＢ」を取りこぼしたときの図柄組合せ（リーチ目）の一例を示しているが、このようなリーチ目は、特別役（当選役「ＢＢ」、「ＲＢ」）に当選した遊技のみならず、ＢＢ、ＲＢ内部当選中遊技でも発生し得る（通常リーチ目）。
【００９５】
また、図１１に示すように、ＢＢ内部当選中遊技（ＲＴ１）では、通常遊技での抽選対象グループ「ＳＲＰ２＋ＢＢ」が当選役グループ「ＴＲＰ」に代用されるとともに、抽選対象グループ「ＳＲＰ１＋ＢＢ」、「ＳＲＰ２＋ＲＢ」、「ＣＲＰ＋ＢＢ」、「ＣＲＰ＋ＲＢ」が、いずれも当選役グループ「ＣＲＰ」に代用される。ここで、ＢＢ内部当選中遊技（ＲＴ１）に当選役グループ「ＴＲＰ」に当選した場合は、当選役「ｃＲＰ」に入賞するため、ＢＢ内部当選中遊技では、当選役「ｃＲＰ」の当選確率が上がるようになっている。したがって、例えば、ボーナス（ＢＢまたはＲＢ）の内部当選中遊技（ＲＴ１、ＲＴ２）で「ｃＲＰ」の入賞図柄組合せが表示されるとボーナスのうちのＢＢ遊技への期待が高まるため、遊技者の興趣を高めることができる。
【００９６】
なお、図１１に示す通常遊技の当選役グループ「ＢＢ」、「ＲＢ」の単独当選領域（乱数値範囲）やＨＺ（ハズレ）領域を、ＢＢ、ＲＢ内部当選中遊技において、当選役グループ「ＮＲＰ」や「ＣＲＰ」で代用する構成であってもよい。
【００９７】
（１０）図柄判定手段１０９
図４の図柄判定手段１０９は、リール検出手段１０７により検出された各リール１３Ｌ，１３Ｍ，１３Ｒそれぞれの回転位置に基づき、停止制御手段１０４により停止制御された各リール１３Ｌ，１３Ｍ，１３Ｒの図柄の表示態様が、予め定められた表示態様であるかどうかの判定を行うものである。
【００９８】
具体的には、図柄判定手段１０９は、停止制御手段１０８により全てのリール１３Ｌ，１３Ｍ，１３Ｒが停止制御されたときに、各リール１３Ｌ，１３Ｍ，１３Ｒの回転位置情報を取得して入賞ラインの図柄組合せを特定する。そして、特定した図柄組合せが、図６および図７に示す図柄組合せに該当する場合は、当該当選役に入賞したと判定し、いずれにも該当しない場合はハズレと判定する。
【００９９】
（１１）自動賭数設定手段１１０
図４の自動賭数設定手段１１０は、再遊技役に入賞した場合に、当該入賞してから賭数を設定するまでの処理であって、賭数の自動設定処理を含むリプレイ入賞処理の一部を実行するものである。リプレイ入賞処理は、例えば、再遊技役に入賞した場合、当該入賞遊技の賭数と同じ賭数（メダル枚数）のメダルの自動投入を行う処理や、再遊技役が当選した遊技で、全てのリール１３Ｌ，１３Ｍ，１３Ｒが停止してから、１枚目の自動投入が行われるまでの時間、並びに２枚目、３枚目の自動投入の時間を決定する処理を含む。（この２つの処理により賭数の自動設定処理が構成されている）なお、自動投入を行うときの投入音の有り無しを決定した上で、投入音がある場合は鳴らす処理、再遊技役に入賞した後に液晶表示器２７などを用いて入賞演出を行う処理もリプレイ入賞処理の一部に相当するが、この実施形態では、自動投入の投入音に関する処理および入賞演出を行う処理は、後述するようにサブ制御基板７３で実行される。
【０１００】
この実施形態では、自動賭数設定手段１１０は、表示窓１1に特殊リーチ目が出現する再遊技役（当選役「ｓＲＰ１」、「ｓＲＰ２」）に入賞した場合と、その他の一般的な再遊技役（例えば、当選役「ｎＲＰ」）とで異なる処理を実行する。具体的には、図１２に示すように、通常リプレイ（当選役「ｎＲＰ」）に入賞した場合、自動賭数設定手段１１０は、全てのリール１３Ｌ，１３Ｍ，１３Ｒが停止してから０．５ｓ経過後に１枚目の自動投入処理を実行し、その後０．１ｓ経過の度に２、３枚目の自動投入処理を順次実行する。一方、特殊リプレイ（当選役「ｓＲＰ１」、「ｓＲＰ２」）に入賞した場合、自動賭数設定手段１１０は、全てのリール１３Ｌ，１３Ｍ，１３Ｒが停止してから１ｓ経過後に１枚目の自動投入処理を実行し、その後０．０５ｓ経過の度に２、３枚目の自動投入処理を順次実行する。このように構成すると、遊技者に再遊技役を意識させずに特殊リーチ目に着目させることができる。なお、上述の処理は一例であり、通常リプレイ（例えば、当選役「ｎＲＰ」）と特殊リプレイ（当選役「ｓＲＰ１」および「ｓＲＰ２」）とで異なる処理を実行する構成であれば、適宜、変更することができる。
【０１０１】
（１２）払出制御手段１１１
図４の払出制御手段１１１は、図柄判定手段１０９が、いずれかの当選役に入賞したと判定したときに、それがメダル払い出しのある入賞であれば、ホッパーユニット４３を動作させて、入賞した役に対応した払出数だけメダルを払い出すものである。ただし、クレジットメダルの貯留枚数が上限値（この実施形態では例えば５０枚）に達していない場合は、払出数分だけクレジットメダルの枚数を増加する。
【０１０２】
（１３）メダル制御手段１１２
図４のメダル制御手段１１２は、メダルセレクタ４８の動作を制御することにより、メダル受入可と受入不可とを切換えるものである。
【０１０３】
（１４）コマンド作成手段１１３
図４のコマンド作成手段１１３は、役抽選手段１０５の役抽選結果に関する情報、各ストップスイッチ２１Ｌ，２１Ｍ，２１Ｒ、スタートスイッチ１９等の遊技者により操作される操作器具の操作に関する情報などの種々の情報をサブ制御基板７３（サブＣＰＵ７１）に送信するためのコマンドを生成するものである。そして、コマンド作成手段１１３により生成されたコマンドは、サブ制御コマンド送信手段１１４によりサブ制御基板７３に送信される。
【０１０４】
例えば、役抽選手段１０５による役抽選が実行されたときに、役抽選結果を識別できるコマンドを作成する。サブ制御基板７３では、送られてきたコマンドに基づき、種々の処理を実行する。
【０１０５】
（１５）サブ制御コマンド送信手段１１４
図４のサブ制御コマンド送信手段１１４は、メイン制御基板６３からサブ制御基板７３へ、種々のデータを含む通信コマンドを一方通行で送信するものである。すなわち、サブ制御コマンド送信手段１１４は、設定変更手段１０１により設定される設定値、通常遊技、ＢＢ遊技、ＲＢ遊技などの遊技状態、役抽選手段１０５の役抽選結果、図柄判定手段１０９による図柄判定結果、各リール１３Ｌ，１３Ｍ，１３Ｒの回転・停止状態、払出制御手段１１１によるメダルの払出状態、前面扉５の開放または閉塞の状態、スロットマシン１のエラー状態など、スロットマシン１の状態を表すデータをサブ制御基板７３へ送信する。
【０１０６】
また、サブ制御コマンド送信手段１１４は、投入センサ５３により投入メダルが検出されたとき、ベットスイッチ１５が操作されたとき、最大ベットスイッチ１７が操作されたとき、再遊技役の入賞に伴って自動投入（賭数の自動設定処理）が行われるとき、ベット枚数カウンタ６５１に格納されるベット枚数分のメダル投入が行われたことを表すデータをサブ制御基板７３に送信する。
【０１０７】
また、サブ制御コマンド送信手段１１４は、払出制御手段１１１により払い出されるメダル数を表すデータや、スタートスイッチ１９およびストップスイッチ２１Ｌ，２１Ｍ，２１Ｒなどの各種スイッチが遊技者により操作されたことを示すデータなどもサブ制御基板７３に送信する。
【０１０８】
（サブ制御基板）
次に、サブ制御基板７３について詳細に説明する。サブ制御基板７３は、メイン制御基板６３から送信された通信コマンドを受信し、メイン制御基板６３の動作や状態に応じた演出を行うものである。図４に示すように、サブ制御基板７３は、メモリ７５に格納されたプログラムを実行することにより実現される種々の機能や、ハードウェアにより実現される種々の機能を備えている。
【０１０９】
（１）サブ制御コマンド受信手段１１５
図４のサブ制御コマンド受信手段１１５は、メイン制御基板６３のサブ制御コマンド送信手段１１４により送信された種々のデータを含む通信コマンドを受信するものである。サブ制御コマンド受信手段１１５は、メイン制御基板６３から送信される通信コマンドを受信し、通信コマンドを受信すれば、通信コマンドの種類に応じてサブ制御基板７３が備える各機能に通知を行う。
【０１１０】
（２）演出内容決定手段１１６
図４の演出内容決定手段１１６は、サブ制御コマンド受信手段１１５が受信した通信コマンドに応じて、演出の内容を決定するためのものである。具体的には、遊技の進行や、役抽選手段１０５の役抽選結果などに対応して予め設定された演出パターンから、液晶表示器２７に表示される動画を決定したり、スピーカ３１Ｌ，３１Ｒから流れる音楽を決定したり、上部ランプ部３３や下部ランプ部３７Ｌ，３７Ｒの光源を一斉にあるいは個別に点滅したりするなどの演出を決定する。
【０１１１】
例えば、演出内容決定手段１１６は、サブ制御コマンド受信手段１１５が役抽選手段１０５の役抽選結果に関するコマンドを受信した場合、当該役抽選結果に対応する演出群の中から一の演出を実行演出内容に決定する。この演出群の中には、役抽選結果を遊技者に示唆する演出が含まれる。また、演出内容決定手段１１６は、サブ制御コマンド受信手段１１５が、当選役に入賞した旨の情報を受信した場合は、その入賞役を示唆する演出を実行する演出内容に決定する。
【０１１２】
（３）表示制御手段１１７
図４の表示制御手段１１７は、演出内容決定手段１１６から送信された信号に含まれるデータに基づいて、液晶表示器２７に動画（画像）を表示したり、上部ランプ部３３や下部ランプ部３７Ｌ，３７Ｒの光源を一斉にあるいは個別に点滅したりするなどの演出を実行するものである。
【０１１３】
（４）音声制御手段１１８
図４の音声制御手段１１７は、演出内容決定手段１１６から送信された信号に含まれるデータに基づいて、スピーカ３１Ｌ，３１Ｒから音楽を流したり、音声を出力したりするなどの演出を実行するものである。
【０１１４】
入賞演出の一例について説明すると、役抽選手段１０５で決定された当選役に入賞した場合、その当選役の種類を示唆する演出が実行される。例えば、当選役「ｎＷＭ」に入賞した場合、液晶表示器２７に表示された画像の背景を「緑色」にして当選役「ｎＷＭ（スイカ）」の入賞を遊技者に示唆する。また、通常リプレイ（当選役「ｎＲＰ」）の場合は、画像の背景を「青色」にして再遊技役の入賞を遊技者に示唆する。また、ハズレの場合は、画像の背景を「白色」にして遊技者にハズレを示唆する。この場合、遊技者は、画像背景の色を見て入賞役を認識することができる。ところで、この実施形態では、再遊技役の中でも、通常リプレイ（当選役「ｎＲＰ」）と特殊リプレイ（当選役「ｓＲＰ１」、「ｓＲＰ２」）とで異なる入賞演出が実行される。具体的には、図１２に示すように、特殊リプレイに入賞した場合は、上述のハズレと同じ演出が実行される。また、この実施形態では、通常リプレイの場合、自動投入時に投入音が鳴るのに対して、特殊リプレイの場合は、自動投入時の投入音が鳴らないように構成されている。
【０１１５】
すなわち、演出内容決定手段１１６は、通常リプレイの入賞の場合は、画像の背景を「青色」にして再遊技役の入賞を遊技者に示唆する演出を、入賞時に実行する演出内容に決定し、演出内容決定手段１１６からの信号に基づいて、表示制御手段１１７および音声制御手段１１８が当該決定された演出を実行する。また、演出内容決定手段１１６は、この再遊技役の入賞に伴ってメダルの自動投入が行われる際には、その自動投入の度に投入音を鳴らす演出を、自動投入時に実行する演出内容に決定し、音声制御手段１１８が当該決定された演出を実行する。一方、特殊リプレイの入賞の場合、演出内容決定手段１１６は、画像の背景を「白色」にして遊技者にハズレを示唆する演出を、入賞時に実行する演出内容に決定し、演出内容決定手段１１６からの信号に基づいて、表示制御手段１１７および音声制御手段１１８が当該決定された演出を実行する。また、演出内容決定手段１１６は、この再遊技役の入賞に伴ってメダルの自動投入が行われる際には、投入音を鳴らさない演出を、自動投入時に実行する演出内容に決定する。このようにすると、特殊リプレイ（当選役「ｓＲＰ１」、「ｓＲＰ２」）に入賞したときに、遊技者が再遊技役の入賞を意識せずに、遊技者に特殊リプレイの入賞態様である特定図柄組合せに着目させることが期待できる。
【０１１６】
なお、演出内容決定手段１１６が、サブ制御コマンド受信手段１１５が受信した役抽選結果に関するコマンドに基づいて実行する演出内容を決定し、表示制御手段１１７および音声制御手段１１８が、当該決定された演出内容を実行する機能が本発明の「演出実行手段」に相当する。また、再遊技役入賞時に、メイン制御基板６３の自動賭数設定手段１１０が、メダルの自動投入を行ったり自動投入が行われるまでの時間を決定したりする機能、並びに、サブ制御基板７３の演出内容決定手段１１５、表示制御手段１１７および音声制御手段１１８が、投入音の有り無しを決定した上で、投入音がある場合は鳴らしたり、入賞演出を実行したりする機能それぞれが、本発明の「リプレイ入賞処理」に相当する。なお、通常リプレイの入賞時と特殊リプレイの入賞時とで、必ずしも投入音の有り無しや、入賞演出を異なるようにしなくてもよく、この場合は、メイン制御基板７３側のみで「リプレイ入賞処理」が構成されることになる。
【０１１７】
したがって、上記した実施形態によれば、当選役「ｓＲＰ１」の当選は、通常遊技における当選役「ＢＢ」との同時当選に限られる。このようにすると、通常遊技の当選役「ＢＢ」の当選遊技にのみ出現する特定図柄組合せ（図８（ａ）参照）を創出することができるため、遊技者の興趣を向上することができる。また、ＢＢまたはＲＢの内部当選の持ち越し状態では、当選役「ｓＲＰ１」に当選しないように構成されているため、当該持ち越し状態で特定図柄組合せが出現しない。そのため、ＢＢ、ＲＢ内部当選中遊技で特定図柄組合せが出現して遊技者が落胆するのを防止できる。
【０１１８】
また、当選役「ｓＲＰ２」は、通常遊技における当選役「ＢＢ」または「ＲＢ」との同時当選のみならず、ＢＢ、ＲＢ内部当選中遊技にも当選し得る（当選役グループ「ＴＲＰ」）が、当選役グループ「ＴＲＰ」に当選した場合は、他の構成当選役である「ｎＲＰ」および「ｃＲＰ」のいずれかに入賞するように構成されている。したがって、図８（ｂ）に示す特定図柄組合せも、当選役「ｓＲＰ１」と同様、通常遊技の当選役「ＢＢ」または「ＲＢ」との同時当選した遊技でしか出現しない。そのため、通常遊技で当選役「ＢＢ」または「ＲＢ」の当選が確定する特定図柄組合せを創出することができ、遊技者の興趣を向上することができる。また、当選役「ＢＢ」の当選が確定する特定図柄組合せと、当選役「ＢＢ」および「ＲＢ」の両方に当選の可能性がある特定図柄組合せの両方を創出することで、遊技性の多様化を図ることができる。
【０１１９】
また、当選役グループ「ＴＲＰ」は、当選しても構成当選役「ｓＲＰ２」には入賞しないように構成されているため、ＢＢ、ＲＢ内部当選中遊技（ＲＴ１，ＲＴ２）に図８（ｂ）に示す特定図柄組合せが出現するのを防止するのに、当選役「ｓＲＰ２」の役データの削除を行う必要がなく、簡易に代用役を構成することができる。
【０１２０】
また、特殊リーチ目を出現させる当選役「ｓＲＰ１」および「ｓＲＰ２」は、いずれも再遊技役であるため、遊技者が特殊リーチ目を得るのに賭数を犠牲にすることがない。
【０１２１】
また、当選役「ｓＲＰ１」は、ストップスイッチ２１Ｌ，２１Ｍ，２１Ｒの操作タイミング（操作態様）によっては、入賞させることができない操作態様限定役であるため、図８（ａ）に示す特殊リーチ目の出現により、遊技者が優越感を味わうことができる。これに対して、当選役「ｓＲＰ２」は、「取りこぼし」が発生しない非操作態様限定役であるため、初心者でも特殊リーチ目（例えば、図８（ｂ））を楽しむことができる。なお、特定の操作手順（例えば、左→右→中で操作する挟み押し、左リール１３Ｌが第１停止しない操作順序である変則押し、右→中→左で操作する逆押し）では、特殊リーチ目が出現可能だが、順押し（左→中→右）では、特殊リーチ目が出現しないように構成されていてもよい。
【０１２２】
抽選対象グループ「ＳＲＰ１＋ＢＢ」、「ＳＲＰ２＋ＢＢ」、「ＳＲＰ２＋ＲＢ」は、当選した遊技で特別役（当選役「ＢＢ」、「ＲＢ」）に入賞しない場合は、再遊技役に入賞する。この実施形態では、これらの抽選対象グループの代用役が再遊技役（当選役グループ「ＮＲＰ」、「ＣＲＰ」、「ＴＲＰ」）で構成されるため、ＢＢ、ＲＢ内部当選中遊技（ＲＴ１、ＲＴ２）で代用役に当選しても、遊技者が抽選対象グループ「ＳＲＰ１＋ＢＢ」、「ＳＲＰ２＋ＢＢ」、「ＳＲＰ２＋ＲＢ」の当選時に得られたであろうメダル（遊技用価値）を損することがない。
【０１２３】
（代用役の変形例１）
次に、上記した実施形態の代用役の変形例について、図１３を参照して説明する。なお、図１３は代用役の変形例を説明するための図であって、図１１に対応する図である。
【０１２４】
特殊リーチ目が出現し得る抽選対象グループ「ＳＲＰ１＋ＢＢ」、「ＳＲＰ２＋ＢＢ」、「ＳＲＰ２＋ＲＢ」の代用役に、当選役グループ「ＮＲＰ」を設定してもよい。当選役グループ「ＣＲＰ」は、特別役（当選役「ＢＢ」、「ＲＢ」）に同時当選する場合がある当選役グループとして設けられているため、当選役「ｃＲＰ」への入賞は、遊技者に特別役の当選を期待させる。しかしながら、ＢＢ、ＲＢ内部当選中遊技（ＲＴ１、ＲＴ２）では、特別役（当選役「ＢＢ」、「ＲＢ」）の当選が確定している状態なので、当選役「ｃＲＰ」の入賞を通常遊技より増やして遊技者を過度に煽る必要がない。また、当選役グループ「ＮＲＰ」は、通常遊技で当選の可能性がある役であるため、当選役グループ「ＴＲＰ」のように、新たなリプレイ制御を行う必要がなく、通常遊技の制御をそのまま利用することができる。
【０１２５】
（代用役の変形例２）
次に、上記した実施形態の代用役の他の変形例について、図１４を参照して説明する。なお、図１４は代用役の変形例を説明するための図であって、図１１に対応する図である。
【０１２６】
この場合、ＢＢ、ＲＢ内部当選中遊技（ＲＴ１、ＲＴ２）専用の再遊技役（持越しＲＰ）を新たに設け、通常遊技の抽選対象グループ「ＳＲＰ１＋ＢＢ」、「ＳＲＰ２＋ＢＢ」、「ＳＲＰ２＋ＲＢ」、「ＣＲＰ＋ＢＢ」、「ＣＲＰ＋ＲＢ」、「ＣＲＰ」を当選役「持越しＲＰ」（本発明の「特殊一般役」に相当）で代用する。この構成によると、ＢＢ、ＲＢ内部当選中遊技限定のリーチ目（本発明の「特殊図柄組合せ」に相当）を創出できるため、遊技者の興趣を向上することができる。なお、ＢＢ内部当選中遊技（ＲＴ１）の場合にのみ、当選役「持越しＲＰ」で代用するようにしてもよい。この場合、「持越しＲＰ」が入賞すればＢＢ遊技の内部当選が確定するため、遊技者の興趣を向上することができる。
【０１２７】
次に、上記した実施形態の抽選対象グループの構成の変形例について、図１５を参照して説明する。なお、図１５は抽選対象グループの構成の変形例を説明するための図であって、図１１に対応する図である。
【０１２８】
上記した実施形態の抽選対象グループの構成の中から、当選役グループ「ＣＲＰ」と、該当選役グループを含む同時当選役が除かれており、当選役グループ「ＢＢ」または「ＲＢ」との同時当選役である抽選対象グループ「ＳＲＰ１＋ＢＢ」、「ＳＲＰ２＋ＢＢ」、「ＳＲＰ２＋ＲＢ」の代用役として、当選役グループ「ＮＲＰ」が設定される。
【０１２９】
なお、本発明は上記した実施形態に限定されるものではなく、その趣旨を逸脱しない限りにおいて、上記したもの以外に種々の変更を行うことが可能である。例えば、上記した実施形態では、ＢＢ、ＲＢ内部当選中遊技（ＲＴ１、ＲＴ２）で、特殊リーチ目が発生し得る抽選対象グループの代用役を設ける場合について説明したが、代用役を設けずに、通常遊技で特殊リーチ目が発生し得る抽選対象グループを、ＢＢ、ＲＢ内部当選中遊技（ＲＴ１、ＲＴ２）の抽選対象から除外するようにしてもよい。
【０１３０】
本発明の遊技機としてスロットマシン１を例に挙げて説明したが、本発明の遊技機として、コンピュータプログラムが実行されることによるビデオゲームを採用してもよい。この場合、テレビモニタにより本発明の「表示手段」を構成すればよい。
【符号の説明】
【０１３１】
１…スロットマシン、１３Ｌ，１３Ｍ，１３Ｒ…リール（可変表示列）、１４Ｌ，１４Ｍ，１４Ｒ…リールモータ（表示手段）、１９…スタートスイッチ、２１Ｌ，２１Ｍ，２１Ｒ…ストップスイッチ、１０５…役抽選手段、１０８…停止制御手段、６５３…役抽選結果記憶領域（持ち越し手段）、１１０…自動賭数設定手段（リプレイ入賞処理実行手段）、１１６…演出内容決定手段（演出実行手段、リプレイ入賞処理実行手段）、１１７…表示制御手段（演出実行手段、リプレイ入賞処理実行手段）、１１８…音声制御手段（演出実行手段、リプレイ入賞処理実行手段）
【要約】
【課題】ボーナス役の当選時のみに可変表示列が特定図柄組合せで停止可能に構成することにより遊技者の興趣を高めるとともに、ボーナス内部当選の持ち越し状態では可変表示列が特定図柄組合せで停止しないようにして遊技者の落胆を防止する。
【解決手段】スロットマシン１は、リール１３Ｌ，１３Ｍ，１３Ｒの停止制御手段１０８は、役抽選手段１０５の役抽選結果が抽選対象グループ「ＳＲＰ１＋ＢＢ」の当選であった場合は、他の役抽選結果では停止することがない特殊リーチ目が停止可能な停止制御を行うが、抽選対象グループ「ＳＲＰ１＋ＢＢ」は、特別役「ＢＢ」または「ＲＢ」の内部当選の持ち越し状態では、役抽選手段１０５による役抽選で当選しないように構成されている。
【選択図】図４【図１】
0006006377.tif 000002
【図２】
0006006377.tif 000003
【図３】
0006006377.tif 000004
【図４】
0006006377.tif 000005
【図５】
0006006377.tif 000006
【図６】
0006006377.tif 000007
【図７】
0006006377.tif 000008
【図８】
0006006377.tif 000009
【図９】
0006006377.tif 000010
【図１０】
0006006377.tif 000011
【図１１】
0006006377.tif 000012
【図１２】
0006006377.tif 000013
【図１３】
0006006377.tif 000014
【図１４】
0006006377.tif 000015
【図１５】
0006006377.tif 000016